(57)【要約】【課題】急須やカップなどの容器を差し入れる位置が、簡素な構成で明瞭にわかるようにして、湯の安心安全な注出ができるようにする。【解決手段】ポット本体１２の上端部に前方に張り出す幅広の張り出し部１３が形成され、この張り出し部１３の下に注出口を有する電気ポット１１において、張り出し部１３の先端面１５における注出口の前方位置に、周囲よりも前方に突出し、縦方向にのびる凸部からなる目印部１８を設ける。容器は、目印部１８位置から奥に差し入れると、自動的に注出口の下に位置することになる。【選択図】図１
2014226360.tif 000002
【特許請求の範囲】
【請求項１】
ポット本体の上端部に前方に張り出す幅広の張り出し部が形成され、該張り出し部の下に注出口を有する電気ポットであって、
前記張り出し部の先端面における前記注出口の前方位置に、周囲と異なる表面形状の目印部が形成された
電気ポット。
【請求項２】
前記目印部が、周囲よりも前方に突出する凸部である
請求項１に記載の電気ポット。
【請求項３】
前記張り出し部の下面のポット本体側に、前記注出口よりも低い位置でポット本体よりも前方に張り出して下面が平らな凸段部が形成された
請求項１または請求項２に記載の電気ポット。
【請求項４】
前記目印部が、張り出し部の幅方向の中間位置に形成され、張り出し部の上面における目印部に対応する位置の側部に、注ぎ出しのための操作部が形成された
請求項１から請求項３のうちいずれか一項に記載の電気ポット。
【請求項５】
前記目印部の内部に、前記注出口を有する注出管を有する
請求項２から請求項４のうちいずれか一項に記載の電気ポット。
【請求項６】
前記凸段部の先端面に、前記注出口よりもポット本体側に位置する垂直面が形成された
請求項３から請求項５のうちいずれか一項に記載の電気ポット。
【発明の詳細な説明】
【技術分野】
【０００１】
この発明は、電気で湯を沸かして保温するような電気ポットに関し、より詳しくは、湯の注出が安心安全に行えるような電気ポットに関する。
【背景技術】
【０００２】
電気ポットは、注出口を有する部分を前方に張り出した形状であり、急須やカップを注出口の下に差し入れて注出操作をすると湯を注げるよう構成されている。
【０００３】
昔のベローズポンプ式の保温ポットなどでは、張り出す部分は注出口に対応する程度の幅狭な形状であったが、電気ポットでは、表示や操作のための部分を備えるため、張り出し部はポット本体の幅に近い幅広形状である。
【０００４】
しかし、湯が出る注出口の口径は一定であり、この大きさは張り出し部の幅と比較すると非常に小さい。このため、湯を注ぐ対象であるカップが小さい場合など、注出するときの照準となる範囲が狭い場合には、湯がこぼれたり手にかかったりしないかと不安である。横から覗き込んでカップの差し込み位置を調整することも多々あった。
【０００５】
この点、下記特許文献１に開示された発明がある。この発明は、張り出し部における注出口の上方に対応する部分に、注出口を透視できる窓を備えるという構成である。
【０００６】
しかし、注出口を形成する管が見えるものであるため美感の点で難点がある。しかも、汚れや蒸気によって注出口が見えにくくなってしまうこともある。見やすくするために照明手段も必要である。
【先行技術文献】
【特許文献】
【０００７】
【特許文献１】特開２００６-２０４５９９号公報
【発明の概要】
【発明が解決しようとする課題】
【０００８】
そこで、この発明は、より簡素な構成で安心安全な注出を可能とすることを主な目的とする。
【課題を解決するための手段】
【０００９】
そのための手段は、ポット本体の上端部に前方に張り出す幅広の張り出し部が形成され、該張り出し部の下に注出口を有する電気ポットであって、前記張り出し部の先端面における前記注出口の前方位置に、周囲と異なる表面形状の目印部が形成された電気ポットである。
【００１０】
この構成では、幅広の張り出し部のうちのどの位置に注出口があるのかを目印部が示すので、注出に際しては、目印部のある部分に急須やカップを差し入れる。目印部は周囲と異なる表面形状によって立体的に注出口の位置を示す。
【発明の効果】
【００１１】
この発明によれば、目印部が注出口の位置を示すので、湯を注ぐカップ等が小さい場合でも、横から覗き込んだりしなくても安心安全に注出が行える。
【００１２】
しかも、目印部は立体的に注出口の位置を示すので、ポットに正対した場合に限らず斜めの位置からでも、注出口の位置を感覚的に認識させることができる。
【図面の簡単な説明】
【００１３】
【図１】電気ポットの要部の斜視図。
【図２】電気ポットの要部の縦断面図。
【図３】他の例に係る電気ポットの要部の斜視図。
【発明を実施するための形態】
【００１４】
この発明を実施するための一形態を、以下図面を用いて説明する。  
図１は電気ポット１１の要部を示す斜視図で、図２はその縦断面図である。
【００１５】
電気ポット１１は、ポット本体１２の上端部に前方に張り出する幅広の張り出し部１３を有し、この張り出し部１３の下に、ポット本体１２内の湯を注出する注出口１４を有している。
【００１６】
張り出し部１３の基部はポット本体１２の幅と同じで、前方にゆくほど若干幅狭になるもの、全体としてほぼ幅広のまま庇状に突出している。張り出し部１３の先端面１５は、幅方向の中間部ほどわずかに突出するように緩やかに湾曲している。
【００１７】
この張り出し部１３の上面には、操作と表示のための操作表示部１６が形成されている。この操作表示部１６のうち、先端側の左右方向の一方、図示例では電気ポット１１に正対したときの右側には、注ぎ出しのための操作部としての注出操作ボタン１６ａが備えられている。注出操作ボタン１６ａの大きさは、張り出し部１３の幅方向の中間位置より若干右に寄った位置から右側全体に広がる大きさである。
【００１８】
前記注出口１４は、張り出し部１３の幅方向の中間位置における下面に開口している。注出口１４を形成する注出管１７は、図２に示したように、張り出し部１３の基部から前方に延び、その先を斜め下、真っ直ぐ下と、順に屈曲している。
【００１９】
このような注出口１４を有する張り出し部１３の先端面１５には、周囲と異なる表面形状の目印部１８が形成されている。目印部１８の形成位置は、先端面における前記注出口１４の前方位置である。
【００２０】
この目印部１８は、周囲よりも前方に突出する凸部からなり、先端面１５の上端部を除く位置から下にかけて縦長形状に形成される。目印部１８の下端部は張り出し部１３の下面からも突出しており、目印部１８は全体として側面視Ｌ字形状である。
【００２１】
目印部１８の横断面形状は半円弧状で、内部に前記注出管１７を有する大きさである。
【００２２】
目印部１８が張り出し部１３の幅方向の中間位置に形成され、前記注出操作ボタン１６ａが張り出し部１３の幅方向の中間位置よりも右側に形成されているので、注出操作ボタン１６ａは張り出し部１３の上面における目印部１８に対応する位置の側部に形成されていることになる。
【００２３】
また、張り出し部１３の下面のポット本体１２側の部分に、図２に示したように、前記注出口１４よりも低い位置でポット本体１２よりも前方に張り出す凸段部１９が形成されている。凸段部１９は、下面が平らで先端面が垂直な断面Ｌ字形状である。
【００２４】
この凸段部１９は、横断面形状が略半円弧状に形成されている。凸段部１９の下面を形作る水平面１９ａの前後方向の長さと、凸段部１９の先端面を形作る垂直面１９ｂの上下方向の長さは適宜設定されるが、前後方向における垂直面１９ｂの位置は、注出口１４との関係で、カップ等の容器Ｘａの周面を当接させたときに湯の注出が行える位置に設定される。つまり、注出口１４と垂直面１９ｂとの間に、少なくとも容器Ｘａの肉厚より広い空間を有する。
【００２５】
このような構成の電気ポット１１で湯の注出を行う場合には、急須やカップ等の容器Ｘの幅方向の中間位置を張り出し部１３の目印部１８にあわて、張り出し部１３の下に差し入れれば、容器Ｘは自動的に注出口１４の下に位置することになる。この状態を保って、注出操作ボタン１６ａを押すと、湯は確実にＸに注がれる。湯が容器Ｘの外に出たり手にかかったりするような不都合はない。
【００２６】
しかも、目印部１８は、前方に突出して立体的に注出口１４の位置を示すので、電気ポット１１に対して正対した位置ではなく、斜めの位置からでも感覚的に注出口１４の位置を把握でき、安心安全な注出を実現できる。このため、前述のように注出操作ボタン１６ａが幅方向に偏った位置に形成されていても、注出操作の上で何ら不都合はなく、容易な注出が可能であるとともに、操作表示部１６を、使いやすく見やすい、自由なレイアウトで構成することが可能である。
【００２７】
容器Ｘを保持するときに、それが大きい場合には、図２に仮想線で示したように、容器Ｘｂの奥側の上端縁を凸段部１９の水平面１９ａに下から当てると、水平面１９ａが支えとなるので、容器Ｘｂの保持が安定して簡単に行える。容器Ｘが小さい場合には、容器Ｘａの奥側の周面を凸段部１９の垂直面１９ｂに前後方向から当てて、垂直面１９ｂを支えとして利用するとよい。
【００２８】
後者の場合には特に、凸段部１９の横断面形状が半円弧状であるので、注出口１４の下に差し入れた容器Ｘａを垂直面１９ｂに沿って幅方向に移動させて、最も突出する位置になったときが目印部１８に対応する位置になるので、多元的に位置調整が行えることになる。このため、容器Ｘａが小さくても、不測に湯をこぼしたりすることを確実に防止できる。
【００２９】
また、垂直面１９ｂを有する凸段部１９を形成した関係上、注出口１４の位置を若干前方に出す必要が生じたとしても、目印部１８の内部に注出管１７を収めているので、張り出し部１３全体を必要以上に突出させる必要がなく、電気ポット１１を全体してコンパクトな形状に保てる。
【００３０】
前記目印部１８は、図３に示したように、凸部ではなく、凹部で構成することもできる。つまり、張り出し部１３の上端部に、凹部からなる目印部１８を備えている。
【００３１】
凹部からなる目印部１８は、特に、小さい容器Ｘａ（図２参照）に湯を注ぐときに、視覚のみではなく触覚によっても注出口１４の位置を認識できるようにすることができる。つまり、容器Ｘａの底を手の人差し指から薬指くらいまでで支え、親指を容器Ｘａの上端縁にひっかけても容器Ｘａを持った場合に、親指の先が目印部１８に当たるようにして張り出し部１３の下に容器Ｘａを差し入れると、容器Ｘａは自動的に注出口１４の下に位置することになる。この場合も、多元的に位置調整が行える。
【００３２】
この発明の構成と前記一形態の構成との対応において、  
この発明の操作部は、前記注出操作ボタン１６ａに対応するも、  
この発明は前記構成のみに限定されるものではなく、その他の構成を採用することができる。
【００３３】
たとえば、目印部１８を周囲とは異なる色にしてもよい。
【００３４】
注出操作ボタン１６ａは、張り出し部１３の幅方向の中間位置に備えても、両側に備えてもよい。
【符号の説明】
【００３５】
１１…電気ポット
１２…ポット本体
１３…張り出し部
１４…注出口
１５…先端面
１６ａ…注出操作ボタン
１７…注出管
１８…目印部
１９…凸段部
１９ａ…水平面
１９ｂ…垂直面
【図１】
2014226360.tif 000003
【図２】
2014226360.tif 000004
【図３】
2014226360.tif 000005